(57)【要約】【課題】固相状態の路上降雪分などを液相化した雪融解水を下水処理するのではなく、水資源として再利用・有効活用化を図り、また雪融解処理時間の短縮化も図る。【解決手段】雪融解貯水装置４は、風力発電機３のブレード３ａに吸い込まれた降雪分の受け部（４ａ，４ｄ）と、風力発電機３から電源供給されて受け部（４ａ，４ｄ）の降雪分を融解する帯状ヒータ４ｅと、融解水を収容して、かつ、この収容融解水の流入部および取出し部としての蛇口４ｍを有するタンク４ｋと、受け部（４ａ，４ｄ）および流入部の間に設定された水通路部（４ｆ，４ｇ，４ｊ）とを備え、タンク４ｋは、流入部の側にその開閉状態を選択的に設定するゲート作用部４ｎを備えた。【選択図】図２
2019199690.tif 000002
【特許請求の範囲】
【請求項１】
降雪分を融解して収容し、この収容された状態の融解水を外部に取り出せる形の雪融解貯水装置において、
前記降雪分を融解する加熱部と、
前記融解水を収容して、かつ、この収容融解水の流入部および取出し部を有するタンクと、を備えている、
ことを特徴とする雪融解貯水装置。
【請求項２】
前記タンクは、
前記流入部の側にその開閉状態を選択的に設定する開閉設定部を備えている、
ことを特徴とする請求項１記載の雪融解貯水装置。
【請求項３】
前記加熱部に供給される前段階の前記降雪分を砕いて細かくするための砕き部を備えている、
ことを特徴とする請求項１または２記載の雪融解貯水装置。
【請求項４】
風力発電機の回転羽根に吸い込まれた前記降雪分の受け部と、
前記受け部および前記流入部の間に設定された水通路部と、を備え、
前記加熱部は、
前記風力発電機から電源供給されて前記受け部の前記降雪分を融解する、
ことを特徴とする請求項１乃至３のいずれかに記載の雪融解貯水装置。
【請求項５】
前記受け部は、
風上から風下に向かって上り傾斜の面部分であって、その下端側には前記面部分に集まった前記降雪分の落下を防止する円弧状起立部を備えている、
ことを特徴とする請求項４記載の雪融解貯水装置。
【請求項６】
前記受け部は、
風通過部分を備えている、
ことを特徴とする請求項４または５記載の雪融解貯水装置。
【請求項７】
前記加熱部は、
屋根などの建造物に配設されて内部を温水が通過する管状部である、
ことを特徴とする請求項１乃至３のいずれかに記載の雪融解貯水装置。
【発明の詳細な説明】
【技術分野】
【０００１】
本発明は、道路や広場，空き地，公園，庭，屋根，屋上などの各種エリアにおける降雪分の融解水をタンクへ収容し、蛇口などの開閉操作によりその収容水を必要に応じて取り出せるようにした雪融解貯水装置に関する。
【０００２】
これまでも降雪分を集めて加熱することにより液体状態の水へ変化させる各種の雪融解液化装置が用いられている。ただ、雪融解水を積極的にタンクへ貯めて再利用するといった観点はなく、雪融解水を雨水などと同じように排水している。
【０００３】
本発明は、このような雪融解水を排水溝へいわば捨てる、またタンクにいったん貯めてから排水するといった単なる降雪除去ではなく、降雪融解水を蛇口などの開閉操作部付きのタンクに収容して水資源の再利用・有効活用化を図るものである。
【０００４】
融解対象の降雪には、前記各種エリアでの雪に加えて、風力を受ける回転羽根（風力発電機のブレード）に吸い込まれる雪なども含まれる。
【０００５】
風力発電機ブレードの風下側に吸い込まれる雪を融解する場合には、この雪融解用ヒータなどの電源供給が確実・簡単なものになる。
【０００６】
また、融解対象の降雪塊などを砕いて加熱することにより雪融解の要処理時間を短くしている。
【０００７】
さらには、家屋，建物の屋根などの積雪分をそこに設けた配設管に温水を流して融解し、その雪融解水をタンクに収容して貯め、この収容水をタンクの流出口から必要に応じて取り出せるようにした雪融解液化装置に関する。
【背景技術】
【０００８】
従来、路上などの雪を、集雪部に送り込みそこでの加熱作用により融解液化する雪融解液化装置や、これを備えた融雪車などが提案されている（特許文献１参照）。
【先行技術文献】
【特許文献】
【０００９】
【特許文献１】特開２００３‐５５９２８号公報
【発明の概要】
【発明が解決しようとする課題】
【００１０】
このように、いわば固相状態の路上降雪分などを融解作用により液相化した上で廃棄処理することが提案されている。
【００１１】
本発明は、従来のように降雪融解水をいわば下水処理するのではなく、これを融解水取り出し用の開閉操作部付きのタンクに貯めて水資源の再利用・有効活用化を図ることを目的とする。
【００１２】
また、融解対象の降雪塊などを砕いて加熱することにより雪融解処理時間の短縮化を図ることを目的とする。
【００１３】
また、風力を受ける回転羽根（風力発電機のブレード）に吸い込まれる雪なども融解対象とし、雪融解用ヒータなどの電源確保の簡単化を図ることを目的とする。
【００１４】
また、家屋，建物の屋根などへの積雪分も融解貯水処理の対象として、降雪分の水資源化技術の豊富化を図ることを目的とする。
【課題を解決するための手段】
【００１５】
本発明は、以上の課題を次のようにして解決する。
（１）降雪分を融解して収容し、この収容された状態の融解水を外部に取り出せる形の雪融解貯水装置において、
前記降雪分を融解する加熱部（例えば後述のヒータ２ｇ，帯状ヒータ４ｅ，傾斜縦管６ａ，上横管６ｂ）と、
前記融解水を収容して、かつ、この収容融解水の流入部（例えば後述のゲート作用部２ｋ，４ｎ，６ｇ）および取出し部（例えば後述の蛇口２ｊ，４ｍ，６ｆ）を有するタンク（例えば後述の貯水タンク２ｈ，４ｋ，６ｅ）と、を備えている、
構成態様のものを用いる。
（２）上記（１）において、
前記タンクは、
前記流入部の側にその開閉状態を選択的に設定する開閉設定部（例えば後述のゲート作用部２ｋ，４ｎ，６ｇ）を備えている、
構成態様のものを用いる。
（３）上記（１），（２）において、
前記加熱部に供給される前段階の前記降雪分を砕いて細かくするための砕き部（例えば後述の砕き回転板２ｆ）を備えている、
構成態様のものを用いる。
（４）上記（１），（２），（３）において、
風力発電機（例えば後述の風力発電機３）の回転羽根（例えば後述のブレード３ａ）に吸い込まれた前記降雪分の受け部（例えば後述の斜め受け部４ａ，下側周縁起立部４ｄ）と、
前記受け部および前記流入部の間に設定された水通路部（例えば後述の上下方向筒状部４ｆ，環凹状部４ｇ，ホース４ｊ）と、を備え、
前記加熱部は、
前記風力発電機から電源供給されて前記受け部の前記降雪分を融解する、
構成態様のものを用いる。
（５）上記（４）において、
前記受け部は、
風上から風下に向かって上り傾斜の面部分（例えば後述の斜め受け部４ａ）であって、その下端側には前記面部分に集まった前記降雪分の落下を防止する円弧状起立部（例えば後述の下側周縁起立部４ｄ）を備えている、
構成態様のものを用いる。
（６）上記（４），（５）において、
前記受け部は、
風通過部分を備えている、
構成態様のものを用いる。
（７）上記（１），（２），（３）において、
前記加熱部は、
屋根などの建造物に配設されて内部を温水が通過する管状部（例えば後述の傾斜縦管６ａ，上横管６ｂ）である、
構成態様のものを用いる。
【００１６】
このような構成からなる雪融解貯水装置を本発明の対象としている。
【発明の効果】
【００１７】
本発明は、以上の構成をとることにより、
(11)降雪融解水の再利用・有効活用化を図り、
(12)雪融解処理時間の短縮化を図り、
(13)回転羽根（風力発電機のブレード）への吸入雪の融解用ヒータなどの電源確保の簡単化を図る、
ことができる。
【図面の簡単な説明】
【００１８】
【図１】自走車に設けられた雪融解貯水装置を示す説明図である。
【図２】風力発電機に適用した雪融解貯水装置を示す説明図である。
【図３】屋根の積雪を対象とした雪融解貯水装置を示す説明図である。
【発明を実施するための形態】
【００１９】
図１乃至図３を用いて本発明を実施するための形態を説明する。
【００２０】
図１において、
１は路上などへの降雪を融解液化する作業車，
２は作業車１に設けられた雪融解貯水装置，
２ａは雪融解液化処理における各種装置の駆動源として作動するエンジン，
２ｂはエンジン２ａを作動させるガソリンなどを収容する燃料タンク，
２ｃは路上などの降雪を取り込むためのシャベル作用部，
２ｄは上下端それぞれに降雪投入用開口部および粉砕雪流出用開口部を有し、シャベル作用部２ｃの降雪取込み先として作用する上下方向の雪通路部，
２ｅは雪通路部２ｄの途中に設けられた共通回転軸，
２ｆは共通回転軸２ｅに複数設けられてそれぞれの回転作用により雪塊などを粉砕する砕き回転板，
２ｇは雪通路部２ｄに取り込まれた降雪分を融解して液体化するためのヒータ，
２ｈは雪通路部２ｄのいわば下流端側に設けられて雪融解水を収容する貯水タンク，
２ｊは貯水タンク２ｈの下端側に設けられた雪融解水取出し用の蛇口，
２ｋは貯水タンク２ｈの前上端側（図１の左上端側）の雪通路部２ｄとの接続部分に形成されて、この接続部分の開閉状態（雪通路部２ｄおよび貯水タンク２ｈの連通・シャットオフ状態）を選択的に設定するゲート作用部，
をそれぞれ示している。
【００２１】
雪通路部２ｄの横幅（共通回転軸２ｅの雪通路部内の長さ）は例えば150cmである。
複数の砕き回転板２ｆは、それぞれ例えば直径18cmの円板形状であって共通回転軸２ｅに70度斜行し、隣との3cm間隔の態様で計５１個（150÷３＋１）設定されている。
【００２２】
また、ヒータ２ｇは、貯水タンク２ｈの部分や、雪通路部２ｄにおける砕き回転板２ｆより下側（下流側）の部分などに設けられる。
【００２３】
ここで路上などに集められた降雪分の融雪処理は、概略、
(21)作業者がシャベル作用部２ｃの操作により路上集雪分を雪通路部２ｄの上側開口部に投入し、
(22)この投入集雪分が、砕き回転板２ｆで細かくされて雪通路部２ｄの下側開口部から貯水タンク２ｈに流入し、
(23)この貯水タンク２ｈへの流入雪分をヒータ２ｇの加熱作用で融解液化する、
といった態様である。
【００２４】
なお、ヒータ２ｇを、雪通路部２ｄの砕き回転板２ｆの下側部分もあわせて加熱されるように配設してもよい。また、貯水タンク２ｈではなくこの下側部分を主たる加熱対象域としてもよい。
【００２５】
ヒータ２ｇの加熱作用にともない貯水タンク２ｈの中身は雪融解水となり、蛇口２ｊの開閉操作により貯水タンク２ｈから取り出して再利用されえる。
【００２６】
ゲート作用部２ｋの開閉操作により雪通路部２ｄおよび貯水タンク２ｈの連通状態およびシャットオフ状態を選択的に設定できる。
【００２７】
ゲート作用部２ｋをシャットオフ状態に設定して蛇口２ｊを閉じた状態の貯水タンク２ｈは、これ単独で、運搬後などの任意の場所における水供給源として利用可能な仕様に設定してもよい。
【００２８】
図２において、
３は周知の風力発電機，
３ａは風力発電機３の上部に設けられて、風があたることにより回転する羽根形状のブレード，
３ｂはブレード３ａと連動回転する動力伝達軸，
３ｃは動力伝達軸３ｂの回転に基づいて内部発電作用を呈するナセル，
３ｄは上端側にナセル３ｃを保持して、このナセル内部での発電分を外空間域などの送電線，配電線にいたる上下方向送電路としても作用する塔体，
４は風力発電機３に設けられた雪融解貯水装置，
４ａはナセル３ｃに取り付けられて、ブレード３ａから吸い込まれる降雪を受けて集める略Ｕ字状で上開口・風上側下り傾斜の斜め受け部，
４ｂはナセル３ｃの左右外側面と斜め受け部４ａの開口域側面との間にそれぞれ配設された一対の横（水平）方向連結部，
４ｃはナセル３ｃの底面と斜め受け部４ａの開口域下端面との間に配設された縦（上下）方向連結部，
４ｄは斜め受け部４ａの下縁側に形成されてこの受け部での集雪分下端側を保持する円弧状の下側周縁起立部，
４ｅは下側周縁起立部４ｄやその近くの斜め受け部４ａの部分に配設されて、この受け部の集雪分を融解するための帯状ヒータ，
４ｆは斜め受け部４ａの下端側に形成されて、帯状ヒータ４ｅの加熱作用で生じる雪融解水などをこの斜め受け部からその下方に流すための上下方向筒状部，
４ｇは塔体３ｄの外周回部分に形成されて、上下方向筒状部４ｆから流入する雪融解水などのいわばバッファ域として作用する環凹状部，
４ｈは環凹状部４ｇの底面に形成された雪融解水などの流出口，
４ｊは雪融解水などを流出口４ｈから下方の地面側に流して貯水するためのホース，
４ｋはホース４ｊの下端側部分が接続されて流出口４ｈから送られる雪融解水を収容する貯水タンク４ｋ，
４ｍは貯水タンク４ｋの下端側に設けられた雪融解水取出し用の蛇口，
４ｎは貯水タンク４ｋの上端側に形成されたホース取付け部分であって、ホース４ｊを取り外したときに貯水タンク４ｋを閉状態に設定可能なゲート作用部，
をそれぞれ示している。
【００２９】
雪融解貯水装置４の集雪作用を呈する斜め受け部４ａは風通過用の例えばスリット形状やメッシュ形状を備えたものが望ましい。
【００３０】
ここで斜め受け部４ａなどに集められた降雪分の融解処理は、概略、
(31)降雪分が、その下側などから帯状ヒータ４ｅの加熱作用により融けて雪融解水に変化し、
(32)この雪融解水が上下方向筒状部４ｆ，環凹状部４ｇおよび流出口４ｈへと流れ、
(33)この流出口から、雪融解水が、ホース４ｊおよび開状態のゲート作用部４ｎを介して貯水タンク４ｋに供給される、
といった態様である。
【００３１】
貯水タンク４ｋは、図１の雪融解液化装置と同じように、雪融解水が収容されてホース流出側のゲート作用部を閉じた状態で蛇口４ｍを開閉操作することにより、その中の雪融解水を簡単に利用可能である。
【００３２】
また、貯水タンク４ｋを、これ単独で、運搬後などの任意の場所における水供給源として利用可能な仕様に設定してもよい。
【００３３】
図３において、
５は雪融解貯水装置を備えた家屋，
５ａは降雪分融解対象の屋根，
５ｂは屋根５ａの下端側に配設された雨水用の樋，
６は家屋５に設けられた雪融解貯水装置，
６ａは屋根５ａの例えば上端側から下端側への落下方向の平行状態で配設されてそれぞれの中を融雪用の温水が通る傾斜縦管，
６ｂは複数の傾斜縦管６ａそれぞれの上端側へ温水を供給するための上横管，
６ｃは上横管６ｂに対する温水生成部，
６ｄは樋５ｂから下方に連通する雪融解水などの上下方向通路部，
６ｅは上下方向通路部６ｄのいわば下流端側に設けられて雪融解水を収容する貯水タンク，
６ｆは貯水タンク６ｅの下端側に設けられた雪融解水取出し用の蛇口，
６ｇは貯水タンク６ｅの上端側の上下方向通路部６ｄとの接続部分に形成されて、この接続部分の開閉状態（上下方向通路部６ｄおよび貯水タンク６ｅの連通・シャットオフ状態）を選択的に設定するゲート作用部，
６ｈは傾斜縦管６ａの下端に設けられ、温水を外部空間に放出する流出孔，
をそれぞれ示している。
【００３４】
ここで屋根５ａに積もった降雪分の融解処理は、概略、
(41)降雪分が、温水生成部６ｃから上横管６ｂおよびその先の傾斜縦管６ａに供給される温水の加熱作用により融けて、雪融解水に変化し、
(42)この雪融解水が流出孔６ｈより放出される温水とともに樋５ｂおよび上下方向通路部６ｄを経て下方へと流れ、
(43)この下方への雪融解水がゲート作用部６ｇを介して貯水タンク６ｅに供給される、
といった態様である。
【００３５】
貯水タンク６ｅは、図１および図２の雪融解液化装置と同じように、雪融解水が収容されてゲート作用部６ｇを閉じた状態で蛇口６ｆを開閉操作することにより、その中の雪融解水を簡単に利用可能である。
【００３６】
また、貯水タンク６ｅを、これ単独で、運搬後などの任意の場所における水供給源として利用可能な仕様に設定してもよい。
【００３７】
本発明の雪融解貯水装置が図示の実施形態に限定されるものでないことは勿論であり例えば、
(51)作業車１のシャベル作用部２ｃおよび雪通路部２ｄを着脱可能にして、給水車としての利用を容易にする、
(52)流出孔６ｈの代わりに傾斜縦管６ａの下端それぞれに接続された下横管を設けて、温水を回収し温水生成部６ｃに供給して再利用する、
(53)貯水タンク６ｅの雪融解水を、温水用の水として温水生成部６ｃに供給する、
などのようにしてもよい。
【符号の説明】
【００３８】
（図１において）
１：作業車
２：雪融解貯水装置
２ａ：エンジン
２ｂ：燃料タンク
２ｃ：シャベル作用部
２ｄ：上下方向の雪通路部
２ｅ：共通回転軸
２ｆ：砕き回転板
２ｇ：ヒータ
２ｈ：貯水タンク
２ｊ：蛇口
２ｋ：ゲート作用部
【００３９】
（図２において）
３：風力発電機
３ａ：羽根形状のブレード
３ｂ：動力伝達軸
３ｃ：ナセル
３ｄ：塔体
４：雪融解貯水装置
４ａ：上開口・風上側下り傾斜の斜め受け部
４ｂ：一対の横（水平）方向連結部
４ｃ：縦（上下）方向連結部
４ｄ：円弧状の下側周縁起立部
４ｅ：帯状ヒータ
４ｆ：上下方向筒状部
４ｇ：環凹状部
４ｈ：流出口
４ｊ：ホース
４ｋ：貯水タンク
４ｍ：蛇口
４ｎ：ゲート作用部
【００４０】
（図３において）
５：家屋
５ａ：屋根
５ｂ：雨水用の樋
６：雪融解貯水装置
６ａ：傾斜縦管
６ｂ：上横管
６ｃ：温水生成部
６ｄ：上下方向通路部
６ｅ：貯水タンク
６ｆ：蛇口
６ｇ：ゲート作用部
６ｈ：流出孔
【図１】
2019199690.tif 000003
【図２】
2019199690.tif 000004
【図３】
2019199690.tif 000005